(57)【要約】【課題】版胴に刷版を適正に巻着させる。【解決手段】版胴２２のギャップ部２２ａに刷版Ｐのくわえ部Ｐ１が係止した状態で版胴を回転するとき、刷版を版胴の外周面に押し付けるもので、刷版の幅方向中央に対するニップ力を刷版の他の部位に対するニップ力に比較して小さくまたは無にする態様で形成された版押えローラ５１と、版押えローラを刷版に接触する押付位置と刷版から離れる離隔位置とに移動させるエアシリンダ５２と、刷版がくわえ部を版胴に係止され、かつ版胴に巻き付けられた状態で刷版のくわえ尻部Ｐ２の切欠溝をギャップ部のレジスターピン２２ｄに嵌合するようにくわえ尻部をギャップ部に押し込むもので、切欠溝に対応する部位の外径が切欠溝を除くくわえ尻部に対応する部位の外径に比較して大きく形成された版押込ローラ６１と、版押込ローラを刷版に接触する押付位置と刷版から離れる離隔位置とに移動させるエアシリンダ６２とを備える。【選択図】        図１８
2010064460.tif 000002
【特許請求の範囲】
【請求項１】
版胴に対して刷版を交換する版交換装置において、
前記版胴の外周面に形成されたギャップ部に前記刷版の一端部が係止した状態で前記版胴を回転するとき、前記刷版を前記版胴の外周面に押し付ける版押えローラと、
前記版押えローラを、前記刷版に接触する押付位置と前記刷版から離れる離隔位置とに移動させる版押えローラ移動手段と、
前記ギャップ部に前記刷版の一端部が係止され、かつ前記刷版が前記版胴の外周面に巻き付けられた状態で、前記刷版の他端部に形成された切欠溝を前記ギャップ部に形成されたレジスターピンに嵌合するように前記刷版の他端部を前記ギャップ部に押し込む版押込ローラと、
前記版押込ローラを、前記刷版に接触する押付位置と前記刷版から離れる離隔位置とに移動させる版押込ローラ移動手段と、
を備え、
前記版押えローラは、前記刷版の幅方向中央に対するニップ力を、前記刷版の他の部位に対するニップ力に比較して小さく、または無にする態様で形成され、前記版押込ローラは、前記切欠溝に対応する部位の外径が、前記切欠溝を除く前記刷版の他端部に対応する部位の外径に比較して大きく形成されていることを特徴とする版交換装置。
【請求項２】
前記版押えローラは、前記版胴の軸方向に沿って設けられた軸部材に対し、前記刷版に接触する押付部材を複数に分割配置して構成されたもので、前記押付部材は、前記刷版の幅方向中央に対応する部位を除いて前記軸部材に配置されていることを特徴とする請求項１に記載の版交換装置。
【請求項３】
前記版押えローラは、前記刷版の幅方向中央に対応する外径が、前記刷版を前記版胴の外周面に押し付ける他の部位の外径に比較して小さく形成されていることを特徴とする請求項１に記載の版交換装置。
【請求項４】
前記版押込ローラは、前記版胴の軸方向に沿って設けられた軸部材に対し、前記刷版に接触する押込部材を複数に分割配置して構成されたもので、前記押込部材は、前記切欠溝に対応する大径部と、前記切欠溝を除く前記刷版の他端部に対応する小径部とを有していることを特徴とする請求項２に記載の版交換装置。
【請求項５】
版胴の外周面に形成されたギャップ部に刷版の一端部が係止した状態で前記版胴を回転するとき、前記刷版の幅方向中央に対するニップ力を、前記刷版の他の部位に対するニップ力に比較して小さく、または無として形成された版押えローラにより、前記刷版を前記版胴の外周面に押し付ける工程と、
次に、前記ギャップ部に前記刷版の一端部が係止され、かつ前記刷版が前記版胴の外周面に巻き付けられたとき、前記刷版の他端部に形成された切欠溝に対応する部位の外径が、前記切欠溝を除く前記刷版の他端部に対応する部位の外径に比較して大きく形成された版押込ローラにより、前記切欠溝を前記ギャップ部に形成されたレジスターピンに嵌合するように前記刷版の他端部を前記ギャップ部に押し込む工程と、
を含むことを特徴とする版交換方法。
【請求項６】
被印刷体を供給する供給部と、版胴に装着された刷版にインキを供給すると共に前記供給部から供給された前記被印刷体に印刷を施す印刷部と、前記印刷部で印刷が施された前記被印刷体を排出する排出部とを備えた印刷機において、
請求項１〜４のいずれか一つに記載の版交換装置を、前記版胴の外周面に前記刷版を装着する態様で適用したことを特徴とする印刷機。
【発明の詳細な説明】
【技術分野】
【０００１】
本発明は、版胴に対して刷版を交換する版交換装置および版交換方法ならびに印刷機に関するものである。
【背景技術】
【０００２】
一般的な新聞用オフセット輪転印刷機は、主に、給紙装置、印刷装置、ウェブパス装置、および折機から構成されている。給紙装置から印刷装置にウェブが供給されると、ウェブに対して印刷が施される。その後、ウェブパス装置で多数のウェブに搬送ルートが変更されてから所定の順番に重ねられる。その後、折機にて、縦折りされつつ、印刷された絵柄位置に対応して所定の長さに横断裁されつつ横折りされることで折丁、すなわち印刷物が作成され、排出される。
【０００３】
このような印刷機にて、印刷作業が終了すると、それまで版胴に装着されていた刷版（旧版）を取り外し、次の新しい刷版（新版）を版胴に巻き付け装着する。このような刷版の交換作業は、上述した新聞用オフセット印刷機においては、版胴の数が多く、かつ１つの版胴に対して４ページ分の刷版が装着されるものであるから、刷版の交換に手間がかかり作業者に負担がかかる。そこで、近年では、刷版の交換の自動化が進んでいる。
【０００４】
ところで、自動的に刷版を版胴に装着するには、刷版を版胴に対して正確に位置決めすることが重要であり、この位置決めが正確に成されないと、ウェブに対し印刷画像を適した位置に印刷することができない。
【０００５】
そこで、例えば特許文献１には、版胴側に設けられたレジスターピンに、刷版側に設けられた切欠溝を嵌合させることにより、刷版を版胴に対して位置決めする刷版位置決め方法および装置が示されている。かかる刷版位置決め方法および装置は、切欠溝が設けられた刷版のくわえ尻部を、版押えローラによりレジスターピン側に押圧するものであり、版押えローラは、切欠溝に当たる部分の円筒部を他の円筒部よりも大径に形成された大径部が設けられている。そして、刷版のくわえ尻部を版押えローラで押圧することにより、大径部が当たる切欠溝を基点として切欠溝の開口を拡げる方向にくわえ尻部を湾曲させながら切欠溝をレジスターピンに嵌合させる。
【０００６】
なお、例えば特許文献２には、２つの版押えローラが設けられ、この２つの版押えローラにより版胴に対して刷版を着脱する版交換装置および方法が示されている。かかる版交換装置および方法は、刷版のくわえ部を版胴のギャップ部に係止させ、この状態で一方の版押えローラによって刷版を版胴に押し付けながら版胴を正回転させることで、刷版をくわえ尻部近傍まで版胴に巻き付ける。その後、くわえ尻部を他方の版押えローラとしてのくわえ尻装着脱ローラにより版胴に押し付けることでギャップ部内のくわえ尻係止部材に係止している。すなわち、特許文献２に示される版交換装置および方法では、版胴への刷版の巻き付け動作と、くわえ尻部の係止動作とをそれぞれ別の版押えローラで行っている。
【０００７】
【特許文献１】特開２００７−２６０９６８号公報
【特許文献２】特開２００８−０５５７９２号公報
【発明の開示】
【発明が解決しようとする課題】
【０００８】
ところで、特許文献２に示される版交換装置および方法のように、一方の版押えローラにより刷版を版胴に押し付けながら版胴を正回転させて刷版を巻き付ける際、刷版が版胴の回転方向に対して斜めに傾いて巻き付く場合がある。このような場合、特許文献１に示される刷版位置決め方法および装置においては、くわえ尻部の切欠溝の位置が版胴の軸方向で大きくずれてしまい、版押えローラの大径部によっても切欠溝をレジスターピンに対して嵌合できないおそれがある。この結果、刷版を版胴に対して正確に位置決めできず、版胴に対して刷版を適正に装着させることができない。
【０００９】
刷版が版胴の回転方向に対して傾く要因としては、一方の版押えローラの刷版へのニップ力が、版胴の軸方向で一様でないことと考えられる。そのような場合、一方の版押えローラの版胴へのニップ力を調整することが可能である。しかし、一方の版押えローラの刷版へのニップ力を版胴の軸方向で一様となるように調整する作業は、装置に熟練した作業者であっても多大な時間が必要であることから、印刷時間を遅延させ、印刷物の生産性を低下させることになる。
【００１０】
本発明は上述した課題を解決するものであり、刷版の交換に際し、版胴に対して刷版を適正に装着させることのできる版交換装置および版交換方法ならびに印刷機を提供することを目的とする。
【課題を解決するための手段】
【００１１】
上述の目的を達成するために、本発明の版交換装置では、版胴に対して刷版を交換する版交換装置において、前記版胴の外周面に形成されたギャップ部に前記刷版の一端部が係止した状態で前記版胴を回転するとき、前記刷版を前記版胴の外周面に押し付ける版押えローラと、前記版押えローラを、前記刷版に接触する押付位置と前記刷版から離れる離隔位置とに移動させる版押えローラ移動手段と、前記ギャップ部に前記刷版の一端部が係止され、かつ前記刷版が前記版胴の外周面に巻き付けられた状態で、前記刷版の他端部に形成された切欠溝を前記ギャップ部に形成されたレジスターピンに嵌合するように前記刷版の他端部を前記ギャップ部に押し込む版押込ローラと、前記版押込ローラを、前記刷版に接触する押付位置と前記刷版から離れる離隔位置とに移動させる版押込ローラ移動手段と、を備え、前記版押えローラは、前記刷版の幅方向中央に対するニップ力を、前記刷版の他の部位に対するニップ力に比較して小さく、または無にする態様で形成され、前記版押込ローラは、前記切欠溝に対応する部位の外径が、前記切欠溝を除く前記刷版の他端部に対応する部位の外径に比較して大きく形成されていることを特徴とする。
【００１２】
この版交換装置は、刷版の版胴への装着において、版胴のギャップ部に刷版の一端部が係止した状態で版胴を正回転するとき、版押えローラにより版胴の外周面に押し付けられつつ版胴の外周面に巻き付けられる刷版は、その幅方向中央の部位では版押えローラによるニップ力が比較的小さく、または付与されず、その他の部位に版押えローラによるニップ力が比較的大きく付与される。この結果、刷版が幅方向中央を中心として版胴の回転方向に対して斜めに傾く外力の付与を抑制できる。したがって、刷版を版胴の回転方向に対して真っ直ぐ巻き付け、刷版の他端部の切欠溝の位置をレジスターピンに嵌合する位置に合致させるので、版胴に対して刷版を適正に装着できる。
【００１３】
しかも、版押込ローラで刷版の他端部をギャップ部内に押し込む際、他端部の切欠溝の位置に真っ先に大径部分が接触することになる。このため、大径部分の接触により切欠溝を基点として切欠溝の開口を拡げる方向に他端部が湾曲するので、切欠溝をレジスターピンに確実に嵌合させることができる。さらに、切欠溝の開口を拡げて湾曲した他端部には、版押込ローラの小径部分が接触するため、刷版の他端部は、湾曲が元に戻されつつギャップ部内に押し込まれることになる。したがって、版胴に対して刷版を適正に装着させることができる。
【００１４】
また、本発明の版交換装置では、前記版押えローラは、前記版胴の軸方向に沿って設けられた軸部材に対し、前記刷版に接触する押付部材を複数に分割配置して構成されたもので、前記押付部材は、前記刷版の幅方向中央に対応する部位を除いて前記軸部材に配置されていることを特徴とする。
【００１５】
この版交換装置は、版押えローラが、複数に分割した押付部材を軸部材に配置する構成であり、刷版の幅方向全体でのニップ力を一様にするための高い寸法精度が要求されない。このため、量産が可能であり、生産コストを低減することができる。
【００１６】
また、本発明の版交換装置では、前記版押えローラは、前記刷版の幅方向中央に対応する外径が、前記刷版を前記版胴の外周面に押し付ける他の部位の外径に比較して小さく形成されていることを特徴とする。
【００１７】
この版交換装置は、版押えローラが、刷版の幅方向全体でのニップ力を一様にするための高い寸法精度が要求されない。このため、量産が可能であり、生産コストを低減することができる。
【００１８】
また、本発明の版交換装置では、前記版押込ローラは、前記版胴の軸方向に沿って設けられた軸部材に対し、前記刷版に接触する押込部材を複数に分割配置して構成されたもので、前記押込部材は、前記切欠溝に対応する大径部と、前記切欠溝を除く前記刷版の他端部に対応する小径部とを有していることを特徴とする。
【００１９】
この版交換装置は、版押えローラの構成部品を利用して版押込ローラを生産することができるので、生産コストを低減することができる。
【００２０】
上述の目的を達成するために、本発明の版交換方法では、版胴の外周面に形成されたギャップ部に刷版の一端部が係止した状態で前記版胴を回転するとき、前記刷版の幅方向中央に対するニップ力を、前記刷版の他の部位に対するニップ力に比較して小さく、または無として形成された版押えローラにより、前記刷版を前記版胴の外周面に押し付ける工程と、次に、前記ギャップ部に前記刷版の一端部が係止され、かつ前記刷版が前記版胴の外周面に巻き付けられたとき、前記刷版の他端部に形成された切欠溝に対応する部位の外径が、前記切欠溝を除く前記刷版の他端部に対応する部位の外径に比較して大きく形成された版押込ローラにより、前記切欠溝を前記ギャップ部に形成されたレジスターピンに嵌合するように前記刷版の他端部を前記ギャップ部に押し込む工程と、を含むことを特徴とする。
【００２１】
この版交換方法は、版押えローラにより版胴の外周面に押し付けられつつ版胴の外周面に巻き付けられる刷版は、その幅方向中央の部位では版押えローラによるニップ力が比較的小さく、または付与されず、その他の部位に版押えローラによるニップ力が比較的大きく付与される。この結果、刷版が幅方向中央を中心として版胴の回転方向に対して斜めに傾く外力の付与を抑制できる。したがって、刷版を版胴の回転方向に対して真っ直ぐ巻き付け、刷版の他端部の切欠溝の位置をレジスターピンに嵌合する位置に合致させるので、版胴に対して刷版を適正に装着できる。
【００２２】
しかも、版押込ローラで刷版の他端部をギャップ部内に押し込む際、他端部の切欠溝の位置に真っ先に大径部分が接触することになる。このため、大径部分の接触により切欠溝を基点として切欠溝の開口を拡げる方向に他端部が湾曲するので、切欠溝をレジスターピンに確実に嵌合させることができる。さらに、切欠溝の開口を拡げて湾曲した他端部には、版押込ローラの小径部分が接触するため、刷版の他端部は、湾曲が元に戻されつつギャップ部内に押し込まれることになる。したがって、版胴に対して刷版を適正に装着させることができる。
【００２３】
上述の目的を達成するために、本発明の印刷機では、被印刷体を供給する供給部と、版胴に装着された刷版にインキを供給すると共に前記供給部から供給された前記被印刷体に印刷を施す印刷部と、前記印刷部で印刷が施された前記被印刷体を排出する排出部とを備えた印刷機において、上記いずれか一つに記載の版交換装置を、前記版胴の外周面に前記刷版を装着する態様で適用したことを特徴とする。
【００２４】
この印刷機は、版胴に対して刷版を適正に装着させることができるので、版交換にかかる作業時間や手間を削減すると共に、品質の高い印刷物を印刷することができる。
【発明の効果】
【００２５】
本発明によれば、刷版の交換に際し、版胴に対して刷版を適正に装着できる。
【発明を実施するための最良の形態】
【００２６】
以下に、本発明に係る版交換装置および版交換方法ならびに印刷機の実施の形態を図面に基づいて詳細に説明する。なお、この実施の形態によりこの発明が限定されるものではない。また、下記実施の形態における構成要素には、当業者が置換可能かつ容易なもの、あるいは実質的に同一のものが含まれる。
【００２７】
図１は、本発明の実施の形態にかかる印刷機の概略図である。印刷機１０は、例えば、新聞用オフセット輪転印刷機であって、図１に示すように、主に、複数（本実施の形態では５台）の給紙ユニットＳ１〜Ｓ５を有する給紙装置（供給部）Ｓと、複数（本実施の形態では５台）の印刷ユニットＵ１〜Ｕ５を有する印刷装置（印刷部）Ｕと、ウェブパス装置Ｄと、少なくとも１台（本実施の形態では２台）の折ユニットＦ１，Ｆ２を有する折機（排出部）Ｆとから構成されている。
【００２８】
給紙装置Ｓの各給紙ユニットＳ１〜Ｓ５には、それぞれ被印刷体としてのウェブＷがロール状に巻かれたウェブ巻取紙Ｒを保持する保持アーム１１が設けられている。保持アーム１１は、３つのウェブ巻取紙Ｒをそれぞれ保持し、かつ自身が回転することで、保持したウェブ巻取紙Ｒを移動させて給紙位置に臨ませることができる。また、この各給紙ユニットＳ１〜Ｓ５には、図示しない紙継装置が設けられており、給紙位置で繰り出されているウェブ巻取紙Ｒが残り少なくなると、この紙継装置により給紙位置にあるウェブ巻取紙ＲのウェブＷに対して、待機位置にあるウェブ巻取紙ＲのウェブＷを紙継することができる。
【００２９】
印刷装置Ｕの各印刷ユニットＵ１〜Ｕ５において、印刷ユニットＵ１，Ｕ５は、両面４色印刷を行う多色刷印刷ユニットであり、印刷ユニットＵ２〜Ｕ４は、両面２色印刷を行う２色刷印刷ユニットとなっている。すなわち、印刷ユニットＵ１，Ｕ５は、それぞれ両面印刷を行うように対向配置された１対のブランケット胴２１が、４色印刷を行うようにウェブＷの搬送方向に４組配置されている。印刷ユニットＵ２〜Ｕ４は、それぞれ両面印刷を行うように対向配置された１対のブランケット胴２１が、２色印刷を行うようにウェブＷの搬送方向に２組配置されている。また、印刷ユニットＵ１〜Ｕ５には、各ブランケット胴２１に対向配置された版胴２２、および図には明示しないが版胴２２に取り付けられた刷版にインキを供給するインキ供給機構が設けられている。
【００３０】
また、印刷ユニットＵ１〜Ｕ５にて、版胴２２には、ウェブＷに対し、４頁の印刷を同時に行うように、図１の紙面に直交する方向（版胴２２の軸方向）に沿って４頁の刷版が取り付けられる。そして、インキ供給機構は、１つの版胴２２の４頁の刷版にそれぞれインキを供給するように構成されている。また、ブランケット胴２１は、１つの版胴２２の４頁の刷版に供給されたインキが転写されるように構成されている。
【００３１】
また、各給紙ユニットＳ１〜Ｓ５と各印刷ユニットＵ１〜Ｕ５との間には、複数のインフィード装置Ｉｎ１〜Ｉｎ５が設けられている。そして、これら各印刷ユニットＵ１〜Ｕ５および各インフィード装置Ｉｎ１〜Ｉｎ５は、それぞれ独立して駆動される。したがって、各給紙ユニットＳ１〜Ｓ５から各インフィード装置Ｉｎ１〜Ｉｎ５を介して各印刷ユニットＵ１〜Ｕ５にウェブＷが供給されると、各印刷ユニットＵ１〜Ｕ５では、各ウェブＷに対して所定の印刷を行うことができる。
【００３２】
なお、本実施の形態では、各印刷ユニットＵ１〜Ｕ５を、多色刷印刷ユニットＵ１，Ｕ５と２色刷印刷ユニットＵ２〜Ｕ４により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００３３】
ウェブパス装置Ｄは、ウェブＷの搬送方向（ウェブＷの長さに沿う縦方向）に沿ってその幅方向（ウェブＷの搬送方向に直交する横方向）の中央部で２つに縦断裁するカッタ（図示せず）と、縦断裁されたウェブＷの搬送経路を設定する多数のターンバー３０と、ターンバー３０で搬送経路が設定されたウェブＷを掛け回して搬送方向でのウェブ長さを設定することで、後の折機Ｆにより断裁されたときの天地（搬送方向）の余白寸法を調整するコンペンセータローラ３１とが設けられている。したがって、各印刷ユニットＵ１〜Ｕ５で４頁の印刷が施された各ウェブＷは、カッタにより２頁分ごとに縦断裁されると共に、ターンバー３０により搬送経路が変更され、所定の順番（頁順）に重ねられる。
【００３４】
折機Ｆは、各折ユニットＦ１，Ｆ２において、ウェブパス装置Ｄで重ねられたウェブＷを導入し、このウェブＷを縦折りし、所定の長さで横断裁し、さらに横折りして所望の折丁（例えば新聞などの印刷物）を形成し排出するものである。
【００３５】
ここで、印刷機１０による一連の印刷動作について説明する。本実施の形態における印刷機１０では、各印刷ユニットＵ１〜Ｕ５、各インフィード装置Ｉｎ１〜Ｉｎ５および各折ユニットＦ１，Ｆ２は独立して駆動する。このため、一種類の印刷物を作成することはもちろん、二種類の異なる印刷物を同時に作成できる。つまり、二種類の印刷物のうち、一方の印刷物は、複数の印刷ユニットＵ１〜Ｕ５の中の一部の印刷ユニットを用いて印刷が行われた後、一方の折ユニットＦ１から排紙され、他方の印刷物は、残りの印刷ユニット用いて印刷が行われた後、他方の折ユニットＦ２から排紙される。以下、一種類の印刷物を作成する場合について説明する。
【００３６】
各給紙ユニットＳ１〜Ｓ５から各インフィード装置Ｉｎ１〜Ｉｎ５を介して各印刷ユニットＵ１〜Ｕ５にウェブＷがそれぞれ供給されると、各印刷ユニットＵ１〜Ｕ５では、各ウェブＷに対して４色刷や２色刷が両面に行われる。各印刷ユニットＵ１〜Ｕ５で印刷が施された複数のウェブＷは、ウェブパス装置Ｄにおいて、カッタにより縦断裁されると共に、搬送経路が変更されて所定の順番に重ねられる。そして、ウェブパス装置Ｄにより重ね合わされたウェブ群が折機Ｆ（折ユニットＦ１または折ユニットＦ２）に導入されると、重ねられた各ウェブ群は、縦折りされた後、所定の長さで横断裁され、横折りされて所望の折丁（印刷物）が作成され、排出される。
【００３７】
このように構成された印刷機１０では、印刷装置Ｕの各印刷ユニットＵ１〜Ｕ５について、印刷作業（例えば、一種類の印刷物の必要数の印刷）が終了すると、それまで版胴２２に装着されていた刷版（旧版）を取り外し、新しい刷版（新版）を版胴２２に装着して別の印刷作業を開始する。この場合、本実施の形態にかかる版交換装置を用いて刷版の交換作業を行う。
【００３８】
図２は、版胴および刷版の概略斜視図、図３は、本発明の実施の形態にかかる版交換装置の概略側面図である。図２および図３に示すように、刷版Ｐは、一端部であるくわえ部Ｐ１が版胴２２に係止された状態で版胴２２に巻き付けられ、この状態で他端部であるくわえ尻部Ｐ２が版胴２２に係止されることで版胴２２に装着される。
【００３９】
本実施の形態の版交換装置４０では、版胴２２の外周面にギャップ部２２ａが凹設されている。ギャップ部２２ａの開口部分には、刷版Ｐにおける鉤状のくわえ部Ｐ１を係止する第１係止溝２２ｂと、刷版Ｐにおける鉤状のくわえ尻部Ｐ２を係止する第２係止溝２２ｃとが互いに対向して形成されている。また、ギャップ部２２ａの内部であって版胴２２の軸方向中央位置には、くわえ部Ｐ１における刷版Ｐの幅方向（版胴２２の軸方向に沿う方向）中央Ｃに形成された切欠溝Ｐ１ａ、およびくわえ尻部Ｐ２における刷版Ｐの幅方向中央Ｃに形成された切欠溝Ｐ２ａが嵌合するレジスターピン２２ｄが設けられている。このレジスターピン２２ｄは、版胴２２の軸方向に直交して延在する棒状体であって、第１係止溝２２ｂ側と第２係止溝２２ｃ側とを繋ぐように設けられている。さらに、図２に示すように、ギャップ部２２ａの内部には、第２係止溝２２ｃに係止されたくわえ尻部Ｐ２を押さえる版押え爪２２ｅが配設されている。
【００４０】
また、本実施の形態の版交換装置４０は、印刷装置Ｕの印刷ユニットＵ１〜Ｕ５に設けられており、版押え手段５０と版押込手段６０とを有している。印刷ユニットＵ１〜Ｕ５では、版胴２２を両側から挟むように、一対のフレーム７１が配置されており、このフレーム７１を繋ぐように版胴２２の軸方向に沿って延在して横梁７２が固定されている。横梁７２には、取付ブラケット７３が下方に延出して固定されている。そして、取付ブラケット７３に上記版押え手段５０および版押込手段６０が固定されている。
【００４１】
版押え手段５０は、刷版Ｐのくわえ部Ｐ１が版胴２２のギャップ部２２ａに係止し、かつ切欠溝Ｐ１ａがレジスターピン２２ｄに嵌合した状態で版胴２２を回転するとき、刷版Ｐを版胴２２の外周面に押し付ける版押えローラ５１と、版押えローラ５１を刷版Ｐに接触する押付位置（図３に二点鎖線で示す）と、版押えローラ５１を刷版Ｐから離れる離隔位置（図３に実線で示す）とに移動させる第１エアシリンダ（版押えローラ移動手段）５２とを備えている。
【００４２】
版押込手段６０は、ギャップ部２２ａに刷版Ｐのくわえ部Ｐ１が係止し、切欠溝Ｐ１ａがレジスターピン２２ｄに嵌合し、かつ刷版Ｐが版胴２２の外周面に巻き付けられた状態で、刷版Ｐのくわえ尻部Ｐ２の切欠溝Ｐ２ａをレジスターピン２２ｄに嵌合させると共に刷版Ｐのくわえ尻部Ｐ２をギャップ部２２ａに押し込む版押込ローラ６１と、版押込ローラ６１を刷版Ｐに接触する押付位置（図３に二点鎖線で示す）と、版押込ローラ６１を刷版Ｐから離れる離隔位置（図３に実線で示す）とに移動させる第２エアシリンダ（版押込ローラ移動手段）６２とを備えている。
【００４３】
また、版押え手段５０および版押込手段６０は、制御装置７４により駆動制御される。具体的に、制御装置７４は、第１エアシリンダ５２および第２エアシリンダ６２に対して圧縮空気の給排および給排の停止を行う電磁弁（図示せず）を制御する。これにより、第１エアシリンダ５２は、版押えローラ５１を押付位置および離隔位置に移動し、第２エアシリンダ６２は、版押込ローラ６１を押込位置および離隔位置に移動する。また、制御装置７４は、版胴２２を回転させる版胴用モータ７５を駆動制御する。
【００４４】
ここで、版押え手段５０および版押込手段６０の具体的な構成について説明する。まず、版押え手段５０について説明する。図４は、版押え手段の一部裁断平面図、図５は、版押え手段の正面図（版胴側から視た図）、図６は、版押え手段の拡大側面図、図７は、版押え手段の支持部材の拡大断面図である。なお、図４、図６および図７に示す版押え手段５０は、版押えローラ５１が版胴２２から離れた離隔位置にある状態を示している。
【００４５】
版押え手段５０は、上述したように版押えローラ５１と第１エアシリンダ５２とを備えている。
【００４６】
第１エアシリンダ５２は、版押え手段５０に２つ設けられている。各第１エアシリンダ５２は、版胴２２の軸方向に沿って長手状に延在する支持ブラケット５３の両端に固定されている。そして、各第１エアシリンダ５２は、支持ブラケット５３を介して上述した取付ブラケット７３に固定されている。なお、本実施の形態の第１エアシリンダ５２は、復動型のエアシリンダとして構成され、２つの給排気部５２ｂが設けられている。そして、各第１エアシリンダ５２は、駆動ロッド５２ａの進退移動が共に行われ、かつ駆動ロッド５２ａの進退移動が同期して行われるように、それぞれ給排気部５２ｂに繋がる給排気管５２ｃが、圧縮空気の給排および給排の停止を行う電磁弁（図示せず）から同じ長さに設定されている。なお、図には明示しないが、第１エアシリンダ５２は、復動型に限らず単動型のエアシリンダとして構成されていてもよい。
【００４７】
版押えローラ５１は、軸部材５１ａを有している。軸部材５１ａは、版胴２２の軸方向に沿って長手状に延在して設けられ、その両端部が各第１エアシリンダ５２の駆動ロッド５２ａに取り付けられている。軸部材５１ａの両端部には、軸部材５１ａ（版胴２２）の軸方向に沿って延在する長穴５１ｂが形成されている。一方、第１エアシリンダ５２の駆動ロッド５２ａの先端には、駆動ロッド５２ａの伸長方向で開口するようにコ字形状のリンク部５１ｃが固定されている。そして、軸部材５１ａは、その端部がリンク部５１ｃのコ字形状内に挿通され、かつ長穴５１ｂにリンク部５１ｃを貫通する支持ピン５１ｄが挿通されている。したがって、軸部材５１ａは、その両端部が駆動ロッド５２ａに対して長穴５１ｂの範囲で自身の軸方向へのスライド移動を許容されていると共に、支持ピン５１ｄの回りに回転可能に支持された形態で第１エアシリンダ５２の駆動ロッド５２ａに取り付けられ、第１エアシリンダ５２の駆動ロッド５２ａの伸縮に伴い、その伸縮方向Ａに移動可能に設けられている。すなわち、版押えローラ５１は、自身の軸方向と、および第１エアシリンダ５２による移動方向（駆動ロッド５２ａの伸縮方向Ａ）とに直交する態様で支持ピン５１ｄがなす回転軸回りの回転を許容されつつ、自身の軸方向へのスライド移動を許容されて第１エアシリンダ５２の駆動ロッド５２ａに接合されている。なお、軸部材５１ａは、少なくとも一端部が駆動ロッド５２ａに対して長穴５１ｂの範囲で軸方向へのスライド移動を許容されていてもよい。また、図には明示しないが、リンク部５１ｃに長穴５１ｄが形成され、この長穴５１ｂに軸部材５１ａを貫通する支持ピン（ピン部材）５１ｄが挿通されていてもよい。
【００４８】
また、版押えローラ５１は、押付部材５１ｅを有している。押付部材５１ｅは、軸部材５１ａに取り付けられ、版押えローラ５１が押付位置に移動したときに刷版Ｐに接触し、刷版Ｐを版胴２２の外周面に押し付けるものである。押付部材５１ｅは、円筒状に形成され、その内部に内筒５１ｆが嵌め込まれている。内筒５１ｆは、軸部材５１ａを内部に通し、かつ軸部材５１ａを中心にガタ無く回転可能に設けられている。この押付部材５１ｅは、図４および図５に示すように、軸部材５１ａに対し、刷版Ｐの幅方向中央Ｃに対応する部位を除くように軸部材５１ａの軸方向で複数に分割して配置されている。ここで、刷版Ｐの幅方向中央Ｃとは、刷版Ｐのくわえ部Ｐ１が版胴２２のギャップ部２２ａに係止し、かつ切欠溝Ｐ１ａがレジスターピン２２ｄに嵌合した形態で、刷版Ｐの幅方向の中央部を示す。本実施の形態では、押付部材５１ｅは、刷版Ｐの幅に対し等間隔で偶数（４つ）に分割して軸部材５１ａに配置されていることで、刷版Ｐの幅方向中央Ｃに対応する部位を除いている。また、上記のように分割配置された押付部材５１ｅは、軸部材５１ａを内部に通す筒状のスペーサ５１ｇを両側に介すことで、軸部材５１ａの軸方向に移動しないように保持されている。また、分割された各押付部材５１ｅは、全て同じ外径とされており、かつ外周面の形状が、中央を膨らませた太鼓型に形成されている。
【００４９】
上記版押えローラ５１は、支持部材５４により支持されている。支持部材５４は、軸部材５１ａの外周に固定された軸受部５４ａと、軸受部５４ａの移動を案内するガイド部５４ｂとで構成されている。軸受部５４ａは、円筒状を基体とし、その両外側が平坦かつ平行に削られた形状のものであり、金属または樹脂に潤滑材を含ませてある。ガイド部５４ｂは、軸受部５４ａの平坦部を挟むようにコ字形状に形成され、その開口側を第１エアシリンダ５２における駆動ロッド５２ａの伸長方向に向けて支持ブラケット５３に固定されている。この支持部材５４は、長穴５１ｂおよび支持ピン５１ｄによる版押えローラ５１の前記回転および前記スライド移動を許容しつつ、第１エアシリンダ５２による押付位置および離隔位置への版押えローラ５１の移動を案内する。さらに、支持部材５４は、駆動ロッド５２ａの伸縮方向Ａに案内することで、版押えローラ５１が刷版Ｐに接触したときに回転する版胴２２から反力を受けたり、版押えローラ５１が重力を受けたりした場合に、版押えローラ５１の上下方向の振れを抑制しつつ、版押えローラ５１の移動を円滑に案内する。
【００５０】
次に、版押込手段６０について説明する。図８は、版押込手段の一部裁断平面図、図９は、版押込手段の正面図（版胴側から視た図）、図１０は、版押込手段の拡大側面図である。なお、図８および図１０に示す版押込手段６０は、版押込ローラ６１が版胴２２から離れた離隔位置にある状態を示している。
【００５１】
版押込手段６０は、上述したように版押込ローラ６１と第２エアシリンダ６２とを備えている。
【００５２】
第２エアシリンダ６２は、版押込手段６０に１つ設けられている。第２エアシリンダ６２は、版胴２２の軸方向に沿って長手状に延在する支持ブラケット６３の長手方向中央に駆動ロッド６２ａが固定されている。そして、第２エアシリンダ６２は、上述した取付ブラケット７３に固定されている。なお、本実施の形態の第２エアシリンダ６２は、復動型のエアシリンダとして構成され、２つの給排気部６２ｂが設けられている。そして、それぞれ給排気部６２ｂに繋がる給排気管６２ｃが、圧縮空気の給排および給排の停止を行う電磁弁（図示せず）に接続されている。なお、図には明示しないが、第２エアシリンダ６２は、復動型に限らず単動型のエアシリンダとして構成されていてもよい。
【００５３】
版押込ローラ６１は、軸部材６１ａを有している。軸部材６１ａは、版胴２２の軸方向に沿って長手状に延在して設けられ、その両端部が第２エアシリンダ６２の駆動ロッド６２ａが固定された支持ブラケット６３側に取り付けられている。具体的には、支持ブラケット６３の両端部に軸受部６１ｂが固定され、この軸受部６１ｂに対して軸部材６１ａの両端が支持されている。したがって、軸部材６１ａは、第２エアシリンダ６２の駆動ロッド６２ａの伸縮に伴い、その伸縮方向Ｂに移動可能に設けられている。
【００５４】
また、版押込ローラ６１は、押込部材６１ｃを有している。押込部材６１ｃは、軸部材６１ａに取り付けられ、版押込ローラ６１が押付位置に移動したときに刷版Ｐに接触し、刷版Ｐのくわえ尻部Ｐ２を版胴２２のギャップ部２２ａに押し込むものである。押込部材６１ｃは、円筒状に形成され、その内部に内筒６１ｄが嵌め込まれている。内筒６１ｄは、軸部材６１ａを内部に通し、かつ軸部材６１ａを中心にガタ無く回転可能に設けられている。
【００５５】
この押込部材６１ｃは、図８および図９に示すように、軸部材６１ａに対し、刷版Ｐのくわえ尻部Ｐ２に形成された切欠溝Ｐ２ａに対応する部位と、その他の部位とに軸部材６１ａの軸方向で複数に分割して配置されている。ここで、切欠溝Ｐ２ａに対応する部位とは、刷版Ｐのくわえ部Ｐ１が版胴２２のギャップ部２２ａに係止し、かつ切欠溝Ｐ１ａがレジスターピン２２ｄに嵌合し、かつ刷版Ｐが版胴２２の外周面に巻き付けられた状態で、刷版Ｐのくわえ尻部Ｐ２をギャップ部２２ａに押し込む場合、くわえ尻部Ｐ２の切欠溝Ｐ２ａがレジスターピン２２ｄに嵌合する位置である。すなわち、言い換えると、押込部材６１ｃは、軸部材６１ａに対し、版胴２２のレジスターピン２２ｄに対応する部位と、その他の部位とに軸部材６１ａの軸方向で複数に分割して配置されていることになる。そして、本実施の形態では、レジスターピン２２ｄが版胴２２の軸方向中央に設けられ、切欠溝Ｐ２ａが刷版Ｐのくわえ尻部Ｐ２の幅方向中央Ｃに形成されているから、これらと対応するように押込部材６１ｃは、軸部材６１ａの軸方向中央に配置され、さらに刷版Ｐのくわえ尻部Ｐ２をギャップ部２２ａに押し込むように軸部材６１ａの他の部位に配置されている。すなわち、本実施の形態では、押込部材６１ｃは、刷版Ｐの幅に対し等間隔で奇数（５つ）に分割して軸部材６１ａに配置されていることで、切欠溝Ｐ２ａに対応する部位と、その他の部位とに配置されている。また、上記のように分割配置された押込部材６１ｃは、軸部材６１ａを内部に通す筒状のスペーサ６１ｅを両側に介すことで、軸部材６１ａの軸方向に移動しないように保持されている。
【００５６】
このように分割配置された押込部材６１ｃは、切欠溝Ｐ２ａに対応する部位に配置された押込部材６１ｃの外径Ｄ１が、その他の部位に配置された押込部材６１ｃの外径Ｄ２に比較して大きく形成されている。すなわち、切欠溝Ｐ２ａに対応する部位に配置された押込部材６１ｃは大径部として構成され、その他の部位に配置された押込部材６１ｃは小径部として構成されている。また、押込部材６１ｃは、外周面の形状が、中央を膨らませた太鼓型に形成されている。
【００５７】
ところで、版押え手段５０および版押込手段６０を固定する取付ブラケット７３が固定された横梁７２は、版胴２２から離れるのに伴って下方に傾斜している。さらに、版押え手段５０と版押込手段６０とは、版胴２２の回転方向に伴う後述の動作の関係において、版押え手段５０が下方に延出した取付ブラケット７３の上側に固定され、版押込手段６０が取付ブラケット７３の下側に固定されている。しかも、版胴２２は、その外周面が、版押え手段５０が固定されている位置に対しては比較的近く、版押込手段６０が固定されている位置に対しては比較的遠くなるように配置されている。このことから、版押え手段５０の第１エアシリンダ５２の全長（ストローク）は、版押込手段６０の第２エアシリンダ６２の全長（ストローク）より短くなるように設定されている。このため、第１エアシリンダ５２は、ストロークの小さい比較的小型のものを２つ設けられ、第２エアシリンダ６２は、ストロークの大きい比較的大型のものを１つ設けられている。
【００５８】
ここで、本実施の形態の版交換装置４０の動作として、刷版Ｐの装着方法および取り外し方法である版交換方法について説明する。図１１〜図１９は、本実施の形態の版交換装置による版装着方法を表す概略図、図２０〜図２６は、本実施の形態の版交換装置による版取外し方法を表す概略図である。
【００５９】
制御装置７４は、刷版Ｐの版胴２２への装着にあたっては、各エアシリンダ５２，６２を駆動制御する。まず、図１１に示すように、版胴用モータ７５を駆動制御することで、版胴２２を版掛け位置で停止させる。版胴２２の版掛け位置とは、版胴２２のギャップ部２２ａが版押えローラ５１および版押込ローラ６１よりも若干下方で若干下方向きに位置する状態である。なお、図１１において、符号７８は、後述する版逃がし装置であり、制御装置７４により駆動制御される。また、符号７９は、くわえ尻排出検出センサであり、その検出信号が制御装置７４に入力されるようになっている。
【００６０】
次に、図１２に示すように、版胴２２が版掛け位置にある状態で、オペレータは版掛けを実施する。この版掛けでは、版胴２２のギャップ部２２ａ（第１係止溝２２ｂ）に、刷版Ｐのくわえ部Ｐ１を引っ掛けて係止させ、かつくわえ部Ｐ１の切欠溝Ｐ１ａをギャップ部２２ａのレジスターピン２２ｄに嵌合させる。なお、版掛けにおいては、版押えローラ５１および版押込ローラ６１は、いずれも離隔位置に退避している。
【００６１】
そして、図１３に示すように、オペレータによる版掛けの状態から、版胴２２を所定角度だけ正回転させる。なお、正回転とは、版胴２２に刷版Ｐが巻き付く方向であって図１３に矢印で表す反時計回り方向である。また、所定角度とは、版胴２２のギャップ部２２ａが版押えローラ５１の前に位置する回転位置である。
【００６２】
ここで、図１４に示すように、第１エアシリンダ５２を駆動して版押えローラ５１を前進させ、刷版Ｐを版胴２２の外周面に押し付ける押付位置に版押えローラ５１を移動させる。なお、一般に、刷版Ｐは、版胴２２に巻回する向きとは逆向きの版胴２２から離隔する方向に湾曲している。
【００６３】
そして、この状態で、版胴２２を正回転させると、図１５に示すように、刷版Ｐが版押えローラ５１に押え付けられたままで版胴２２の外周面に巻き付けられていく。なお、正回転する版胴２２の外周面に刷版Ｐが巻き付けられるとき、版逃がし装置７８により刷版Ｐのくわえ尻部Ｐ２を支持することで、版胴２２に対するくわえ尻部Ｐ２の接触が防止される。
【００６４】
その後、図１６に示すように、正回転する版胴２２の外周面に刷版Ｐのほとんどの部分が巻き付けられると、版逃がし装置７８を退避させる。そして、図１７に示すように、刷版Ｐのくわえ尻部Ｐ２が版胴２２のギャップ部２２ａに接近する。
【００６５】
そして、図示しないオートクランプ装置（版押え爪２２ｅ）を解除の状態にし、図１８に示すように、第２エアシリンダ６２を駆動して版押込ローラ６１を前進させ、押込位置に移動させる。すると、刷版Ｐは、くわえ尻部Ｐ２が版押込ローラ６１によりギャップ部２２ａ（第２係止溝２２ｃ）内に押し込まれる。そして、この状態で、オートクランプ装置（版押え爪２２ｅ）を作動することで、刷版Ｐのくわえ尻部Ｐ２が版押え爪２２ｅに係止され、くわえ尻部Ｐ２が版胴２２のギャップ部２２ａに固定されると共に、くわえ尻部Ｐ２の切欠溝Ｐ２ａがギャップ部２２ａのレジスターピン２２ｄに嵌合される。
【００６６】
その後、図１９に示すように、第１エアシリンダ５２を駆動して版押えローラ５１を後退させ、版胴２２（刷版Ｐ）から離れた離隔位置に移動させると共に、第２エアシリンダ６２を駆動して版押込ローラ６１を後退させ、版胴２２（刷版Ｐ）から離れた離隔位置に移動させる。ここで、刷版Ｐの版胴２２への装着が完了する。
【００６７】
一方、制御装置７４は、刷版Ｐの版胴２２からの取り外しにあたっては、各エアシリンダ５２，６２を駆動制御する。まず、図２０に示すように、版胴用モータ７５を駆動制御することで、版胴２２を版取り外し位置で停止させる。版胴２２の版取り外し位置とは、版胴２２のギャップ部２２ａが版押えローラ５１および版押込ローラ６１よりも若干下方で若干下向きに位置する、上述の版掛け位置に近い状態である。
【００６８】
次に、図２１に示すように、第１エアシリンダ５２を駆動して版押えローラ５１を前進させ、刷版Ｐを版胴２２の外周面に押し付ける押付位置に版押えローラ５１を移動させる。
【００６９】
この状態から、図示しないオートクランプ装置（版押え爪２２ｅ）を解除し、図２２に示すように、版押え爪２２ｅによる刷版Ｐのくわえ尻部Ｐ２の係止を解除する。続いて、図２３に示すように、版胴２２を逆回転させる。すると、版胴２２から刷版Ｐが巻き出される。このとき、くわえ尻排出検出センサ７９が刷版Ｐのくわえ尻部Ｐ２を検出した場合、版胴２２の逆回転を継続する。一方、くわえ尻排出検出センサ７９が刷版Ｐのくわえ尻部Ｐ２を検出できないときは、版押え爪２２ｅによる刷版Ｐのくわえ尻部Ｐ２の係止が解除されていないから、版胴２２の逆回転を停止させる。なお、版胴２２が逆回転して外周面から刷版Ｐが巻き出されるとき、図２４に示すように、版逃がし装置７８により刷版Ｐのくわえ尻部Ｐ２を支持することで、版胴２２に対するくわえ尻部Ｐ２の接触が防止される。
【００７０】
その後、図２５に示すように、版胴２２が逆回転して外周面から刷版Ｐのほとんどの部分が巻き出されると、版逃がし装置７８を退避させる。そして、この状態では、刷版Ｐは、くわえ部Ｐ１のみが版胴２２のギャップ部２２ａに係止され、全体が自重で垂れ下がった形になる。ここで、第１エアシリンダ５２を駆動して版押えローラ５１を後退し、版胴２２（刷版Ｐ）から離れた離隔位置に移動させる。
【００７１】
そして、図２６に示すように、オペレータは、版胴２２のギャップ部２２ａから刷版Ｐのくわえ部Ｐ１を取外すことで、刷版Ｐの版胴２２からの取り外しが完了する。
【００７２】
本実施の形態の版交換装置４０にあっては、版押え手段５０における版押えローラ５１が、刷版Ｐの幅方向中央Ｃに対応する部位を除くように押付部材５１ｅを軸部材５１ａに取り付けてある。これにより、上述した刷版Ｐの版胴２２への装着において、版胴２２のギャップ部２２ａに刷版Ｐのくわえ部Ｐ１が係止した状態で版胴２２を正回転するとき、押付部材５１ｅは、刷版Ｐの幅方向中央Ｃに接触することなく、刷版Ｐの他の部位に接触することとなる。このため、版押えローラ５１の押付部材５１ｅにより版胴２２の外周面に押し付けられつつ版胴２２の外周面に巻き付けられる刷版Ｐは、その幅方向中央Ｃの部位では版押えローラ５１によるニップ力が付与されず、幅方向中央Ｃの両側に版押えローラ５１によるニップ力が付与される。この結果、版押えローラ５１により版胴２２の外周面に押し付けられながら版胴２２の外周面に巻き付けられる刷版Ｐに対し、幅方向中央Ｃを中心として版胴２２の回転方向に対して斜めに傾く外力の付与を抑制できる。したがって、版押えローラ５１のニップ力を調整することなく、刷版Ｐを版胴２２の回転方向に対して真っ直ぐ巻き付け、くわえ尻部Ｐ２の切欠溝Ｐ２ａの位置をレジスターピン２２ｄに嵌合する位置に合致させるので、版胴２２に対して刷版Ｐを適正に装着させることができる。また、押付部材５１ｅは、外周面の形状が、中央を膨らませた太鼓型に形成されている。このため、押付部材５１ｅは、刷版Ｐに対してほぼ点で接触するので、この押付部材５１ｅの接触により生じるニップ力をより一様にする効果が得られる。
【００７３】
しかも、本実施の形態の版交換装置４０にあっては、版押込手段６０における版押込ローラ６１が、くわえ尻部Ｐ２の切欠溝Ｐ２ａに対応する部位に大径部として構成された押込部材６１ｃを軸部材６１ａに取り付けてあり、その他のくわえ尻部Ｐ２に対応する部位には小径部として構成された押込部材６１ｃを軸部材６１ａに取り付けてある。これにより、上述した刷版Ｐの版胴２２への装着において、版押込ローラ６１で刷版Ｐのくわえ尻部Ｐ２をギャップ部２２ａ内に押し込む際、くわえ尻部Ｐ２の切欠溝Ｐ２ａの位置に真っ先に大径部をなす押込部材６１ｃが接触することになる。このため、押込部材６１ｃの接触により切欠溝Ｐ２ａを基点として切欠溝Ｐ２ａの開口を拡げる方向にくわえ尻部Ｐ２が湾曲するので、切欠溝Ｐ２ａをレジスターピン２２ｄに確実に嵌合させることができる。また、切欠溝Ｐ２ａの開口を拡げて湾曲したくわえ尻部Ｐ２には、小径部をなす押込部材６１ｃが接触するため、くわえ尻部Ｐ２は、湾曲が元に戻されつつギャップ部２２ａ内に押し込まれることになる。したがって、版胴２２に対して刷版Ｐを適正に装着させることができる。また、押込部材６１ｃは、外周面の形状が、中央を膨らませた太鼓型に形成されている。このため、押込部材６１ｃは、くわえ尻部Ｐ２の切欠溝Ｐ２ａの位置に対してほぼ点で接触するので、この押込部材６１ｃの接触により切欠溝Ｐ２ａを基点として切欠溝Ｐ２ａの開口を拡げる作用をより顕著に得られる。
【００７４】
また、本実施の形態の版交換装置４０では、版押え手段５０の版押えローラ５１は、押付部材５１ｅが、刷版Ｐの幅方向中央Ｃに対応する部位を除くように刷版Ｐの幅に対し等間隔で偶数（複数）に分割され、軸部材５１ａに配置されている。このように、偶数に分割した押付部材５１ｅを軸部材５１ａに配置する構成であれば、刷版Ｐの幅方向全体のニップ力を一様にするための高い寸法精度が要求されない。このため、量産が可能であり、生産コストを低減することができる。刷版Ｐの幅方向に長いローラは、その長手方向でのニップ力を一様にするために高い寸法精度が要求されるので、量産することが困難である。
【００７５】
また、本実施の形態の版交換装置４０では、版押え手段５０の版押えローラ５１について、刷版Ｐの幅方向中央Ｃに対応する部位を除くように分割した押付部材５１ｅを軸部材５１ａに取り付けることで、幅方向中央Ｃを中心として版胴２２の回転方向に対して斜めに傾く外力の付与を抑制している。同様に、他の実施の形態として、刷版Ｐの幅方向中央Ｃに対応する部位を除く構成としては、図２７に示すように、刷版Ｐの幅方向に長手状であって、刷版Ｐの幅方向中央Ｃに対応する長手方向の中央に凹部５１ｉが形成された押付部材５１ｈを軸部材５１ａに取り付けた構成としてもよい。
【００７６】
なお、本実施の形態の版交換装置４０では、版押え手段５０の版押えローラ５１について、刷版Ｐの幅方向中央Ｃに対応する部位を除くように分割した押付部材５１ｅを軸部材５１ａに取り付けることで、幅方向中央Ｃを中心として版胴２２の回転方向に対して刷版Ｐが斜めに傾く外力の付与を抑制している。その他の実施の形態として、幅方向中央Ｃを中心として版胴２２の回転方向に対して刷版Ｐが斜めに傾く外力の付与を抑制するには、例えば、刷版Ｐの幅方向中央Ｃに対するニップ力を、刷版Ｐの他の部位に対するニップ力に比較して小さくしてもよい。具体的には、図２８に示すように、刷版Ｐの幅方向に外径を同じくして長手状に形成すると共に、刷版Ｐの幅方向中央Ｃに対応する部位αを、他の部位に対応する部位βに比較して摩擦力（グリップ力）の小さい材質で形成された押付部材５１ｊを軸部材５１ａに取り付けた構成としてもよい。
【００７７】
また、本実施の形態の版交換装置４０では、版押込手段６０の版押込ローラ６１は、押込部材６１ｃが、刷版Ｐの幅方向に分割され、かつ刷版Ｐの幅方向中央Ｃに対応する部位を大径部にし、他を小径部として軸部材６１ａに配置されている。このような構成であれば、版押え手段５０の版押えローラ５１の構成部品を利用して版押込ローラ６１を生産することができるので、生産コストを低減することができる。なお、刷版Ｐのくわえ尻部Ｐ２の切欠溝Ｐ２ａが、刷版Ｐの幅方向中央Ｃに形成されている場合、押込部材６１ｃが、刷版Ｐの幅に対し等間隔で奇数に分割され、かつ中央を大径部にし、他を小径部として軸部材６１ａに配置できる。
【００７８】
なお、本実施の形態の版交換装置４０では、版押込手段６０の版押込ローラ６１について、切欠溝Ｐ２ａを基点として切欠溝Ｐ２ａの開口を拡げる方向にくわえ尻部Ｐ２を湾曲させる構成として、例えば、図２９に示すように、刷版Ｐの幅方向に長手状であって、くわえ尻部Ｐ２の切欠溝Ｐ２ａに対応する部位に大径部相当の凸部６１ｆが形成され、その他を小径部相当の細径部６１ｇとして形成された押込部材６１ｈを軸部材５１ａに取り付けた構成としてもよい。
【００７９】
また、本実施の形態の版交換方法では、版胴２２の外周面に形成されたギャップ部２２ａに刷版Ｐのくわえ部Ｐ１が係止した状態で版胴２２を回転するとき、刷版Ｐの幅方向中央Ｃに対するニップ力を、刷版Ｐの他の部位に対するニップ力に比較して小さく、または無として形成された版押えローラ５１により、刷版Ｐを版胴２２の外周面に押し付ける工程を含む。このため、版押えローラ５１により版胴２２の外周面に押し付けられつつ版胴２２の外周面に巻き付けられる刷版Ｐは、その幅方向中央Ｃの部位では版押えローラ５１によるニップ力が比較的小さく、または付与されず、幅方向中央Ｃの両側に版押えローラ５１によるニップ力が付与される。この結果、版押えローラ５１により版胴２２の外周面に押し付けられながら版胴２２の外周面に巻き付けられる刷版Ｐに対し、幅方向中央Ｃを中心として版胴２２の回転方向に対して斜めに傾く外力の付与を抑制できる。したがって、版押えローラ５１のニップ力を調整することなく、刷版Ｐを版胴２２の回転方向に対して真っ直ぐ巻き付け、くわえ尻部Ｐ２の切欠溝Ｐ２ａの位置をレジスターピン２２ｄに嵌合する位置に合致させるので、版胴２２に対して刷版Ｐを適正に装着させることができる。
【００８０】
しかも、前記工程の次に、ギャップ部２２ａに刷版Ｐのくわえ部Ｐ１が係止され、かつ刷版Ｐが版胴２２の外周面に巻き付けられたとき、刷版Ｐのくわえ尻部Ｐ２に形成された切欠溝Ｐ２ａに対応する部位の外径が、切欠溝Ｐ２ａを除く刷版Ｐのくわえ尻部Ｐ２に対応する部位の外径に比較して大きく形成された版押込ローラ６１により、切欠溝Ｐ２ａをギャップ部２２ａに形成されたレジスターピン２２ｄに嵌合するように刷版Ｐのくわえ尻部Ｐ２をギャップ部２２ａに押し込む工程とを含む。このため、くわえ尻部Ｐ２への大径部の接触により切欠溝Ｐ２ａを基点として切欠溝Ｐ２ａの開口を拡げる方向にくわえ尻部Ｐ２が湾曲するので、切欠溝Ｐ２ａをレジスターピン２２ｄに確実に嵌合させることができる。また、切欠溝Ｐ２ａの開口を拡げて湾曲したくわえ尻部Ｐ２には、小径部をなす押込部材６１ｃが接触するため、くわえ尻部Ｐ２は、湾曲が元に戻されつつギャップ部２２ａ内に押し込まれることになる。したがって、版胴２２に対して刷版Ｐを適正に装着させることができる。
【００８１】
また、本実施の形態の輪転印刷機１０では、上述した版交換装置４０を適用したことにより、版胴２２に対して刷版Ｐを適正に装着させることができるので、版交換にかかる作業時間や手間を削減すると共に、品質の高い印刷物を印刷することができる。
【００８２】
なお、上述した実施の形態では、版押え手段５０および版押込手段６０を、エアシリンダとローラにより構成したが、この構成に限定されるものではなく、例えば、エアシリンダに代え、版押えローラ移動手段および版押込ローラ移動手段として油圧シリンダ、エアモータ、電動モータなどを適用してもよい。
【００８３】
また、上述した実施の形態では、版交換装置４０および版交換方法を、新聞用オフセット輪転印刷機に適用して説明したが、商業用オフセット輪転印刷機、または枚葉印刷機など他の印刷機における版交換に適用することもできる。
【産業上の利用可能性】
【００８４】
以上のように、本発明にかかる版交換装置および版交換方法ならびに印刷機は、刷版の交換に際し、版胴に対して刷版を適正に装着させることに適している。
【図面の簡単な説明】
【００８５】
【図１】本発明の実施の形態にかかる印刷機の概略図である。
【図２】版胴および刷版の概略斜視図である。
【図３】本発明の実施の形態にかかる版交換装置の概略側面図である。
【図４】版押え手段の一部裁断平面図である。
【図５】版押え手段の正面図である。
【図６】版押え手段の拡大側面図である。
【図７】版押え手段の支持部材の拡大断面図である。
【図８】版押込手段の一部裁断平面図である。
【図９】版押込手段の正面図である。
【図１０】版押込手段の拡大側面図である。
【図１１】本実施の形態の版交換装置による版装着方法を表す概略図である。
【図１２】本実施の形態の版交換装置による版装着方法を表す概略図である。
【図１３】本実施の形態の版交換装置による版装着方法を表す概略図である。
【図１４】本実施の形態の版交換装置による版装着方法を表す概略図である。
【図１５】本実施の形態の版交換装置による版装着方法を表す概略図である。
【図１６】本実施の形態の版交換装置による版装着方法を表す概略図である。
【図１７】本実施の形態の版交換装置による版装着方法を表す概略図である。
【図１８】本実施の形態の版交換装置による版装着方法を表す概略図である。
【図１９】本実施の形態の版交換装置による版装着方法を表す概略図である。
【図２０】本実施の形態の版交換装置による版取外し方法を表す概略図である。
【図２１】本実施の形態の版交換装置による版取外し方法を表す概略図である。
【図２２】本実施の形態の版交換装置による版取外し方法を表す概略図である。
【図２３】本実施の形態の版交換装置による版取外し方法を表す概略図である。
【図２４】本実施の形態の版交換装置による版取外し方法を表す概略図である。
【図２５】本実施の形態の版交換装置による版取外し方法を表す概略図である。
【図２６】本実施の形態の版交換装置による版取外し方法を表す概略図である。
【図２７】他の構成の版押えローラの概略図である。
【図２８】他の構成の版押えローラの概略図である。
【図２９】他の構成の版押込ローラの概略図である。
【符号の説明】
【００８６】
１０  新聞用オフセット輪転印刷機（印刷機）
２２  版胴
２２ａ  ギャップ部
２２ｄ  レジスターピン
４０  版交換装置
５０  版押え手段
５１  版押えローラ
５１ａ  軸部材
５１ｅ  押付部材
５１ｈ  押付部材
５１ｊ  押付部材
５２  第１エアシリンダ（版押えローラ移動手段）
６０  版押込手段
６１  版押込ローラ
６１ａ  軸部材
６１ｃ  押込部材
６１ｈ  押込部材
６２  第２エアシリンダ（版押込ローラ移動手段）
Ａ  伸縮方向
Ｂ  伸縮方向
Ｓ  給紙装置（供給部）
Ｕ  印刷装置（印刷部）
Ｄ  ウェブパス装置
Ｆ  折機（排出部）
Ｒ  ウェブ巻取紙
Ｗ  ウェブ（被印刷体）
Ｐ  刷版
Ｐ１  くわえ部（一端部）
Ｐ１ａ  切欠溝
Ｐ２  くわえ尻部（他端部）
Ｐ２ａ  切欠溝
Ｃ  刷版の幅方向中央
【図１】
2010064460.tif 000003
【図２】
2010064460.tif 000004
【図３】
2010064460.tif 000005
【図４】
2010064460.tif 000006
【図５】
2010064460.tif 000007
【図６】
2010064460.tif 000008
【図７】
2010064460.tif 000009
【図８】
2010064460.tif 000010
【図９】
2010064460.tif 000011
【図１０】
2010064460.tif 000012
【図１１】
2010064460.tif 000013
【図１２】
2010064460.tif 000014
【図１３】
2010064460.tif 000015
【図１４】
2010064460.tif 000016
【図１５】
2010064460.tif 000017
【図１６】
2010064460.tif 000018
【図１７】
2010064460.tif 000019
【図１８】
2010064460.tif 000020
【図１９】
2010064460.tif 000021
【図２０】
2010064460.tif 000022
【図２１】
2010064460.tif 000023
【図２２】
2010064460.tif 000024
【図２３】
2010064460.tif 000025
【図２４】
2010064460.tif 000026
【図２５】
2010064460.tif 000027
【図２６】
2010064460.tif 000028
【図２７】
2010064460.tif 000029
【図２８】
2010064460.tif 000030
【図２９】
2010064460.tif 000031